(57)【要約】【課題】共通文書画像を装置外部のネットワーク上に保存しておき、必要な時にその共通文書画像を取り出して使用できるようにして、ハードウェア資源の有効活用を図る。【解決手段】原稿の画像をスキャナにより読取り、その画像データに、共通に用いられる文書の共通画像データをマージし、インターネットに接続して画像データを送受信するファクシミリ装置２０において、ＣＰＵ１の指示により、インターネットを介して共通画像データを取得して、その取得した共通画像データを送信しようとする画像データにマージして送信する。【選択図】　　　図１
2004064336.tif 000002
【特許請求の範囲】
【請求項１】
原稿の画像を読取る画像読取手段と、該手段により読取った画像データに、共通に用いられる文書の共通画像データをマージするマージ手段と、ネットワークに接続する手段と、そのネットワークを介して画像データを送受信する送受信手段とを有する通信装置において、
前記ネットワークを介して前記共通画像データを取得する共通画像データ取得手段を設け、送信しようとする画像データに、該手段により取得した前記共通画像データを前記マージ手段によりマージするように構成されていることを特徴とする通信装置。
【請求項２】
請求項１記載の通信装置において、
前記共通画像データを保存する保存手段と、
前記マージ手段にマージさせようとする前記共通画像データが前記保存手段に保存されているか否かを判断する手段と、
該手段が、保存されていると判断したときは前記保存手段に保存されている前記共通画像データを、保存されていないと判断したときは前記共通画像データ取得手段により取得した前記共通画像データを、それぞれ前記マージ手段によりマージするように構成されていることを特徴とする通信装置。
【請求項３】
請求項１又は２記載の通信装置において、
前記共通画像データ取得手段を作動させるための操作情報又は前記共通画像データの保存場所を指定するための操作情報を入力する操作入力手段を設けたことを特徴とする通信装置。
【請求項４】
請求項２又は３記載の通信装置において、
前記画像読取手段により読取った共通画像データが前記保存手段に保存可能か否かを判断する手段と、
その共通画像データを、該手段が保存可能と判断したときは前記保存手段に保存し、保存不可能と判断したときは前記ネットワークを介して前記送受信手段に送信させる手段を設けたことを特徴とする通信装置。
【請求項５】
請求項４記載の通信装置において、
前記操作入力手段が、前記共通画像データを送信した宛先を指定するための宛先情報を入力可能に構成されていることを特徴とする通信装置。
【発明の詳細な説明】
【０００１】
【発明の属する技術分野】
この発明は、外部の装置に登録されている画像データをネットワークを介して取り込む機能を搭載したファクシミリ装置などの通信装置に関する。
【０００２】
【従来の技術】
近年、パーソナルコンピュータが一般家庭へ普及するとともに、多機能化に伴い携帯電話機がメール送受信機能を持つなど、インターネットを利用するための通信インフラが整備されつつある。また、インターネットに低料金で接続できる環境が整備されることに伴って利用料金が安価になりつつあるため、インターネットを情報伝達手段として活用する機会が格段に増えてきている。こうした背景のもと、画像データを送受信する画像通信を行う際、従来のような公衆回線網（ＰＳＴＮ：Ｐｕｂｌｉｃ　Ｓｗｉｔｃｈｅｄ　Ｔｅｌｅｐｈｏｎｅ　Ｎｅｔｗｏｒｋ，ＩＳＤＮ：Ｉｎｔｅｇｒａｔｅｄ　Ｓｅｒｖｉｃｅｓ　Ｄｉｇｉｔａｌ　Ｎｅｔｗｏｒｋ）だけではなく、インターネットを用いる通信も広まりつつある。これは、インターネットの利用により、通信料金低減のメリットをいかそうとするものである。
その一方では、インターネットに接続可能な端末機器も増えつつあり、ＩＴＵ−Ｔ　Ｔ．３７，Ｔ．３８等のインターネットファクスの標準規格も存在し、インターネット利用に対応した機器も増加している。なお、ファクシミリ装置による画像の送受信に関連する従来技術として、例えば特開平９−２１４６６２号公報がある。また、例えば特開平１１−２１５３３６号公報には、ファクシミリ装置のドキュメントバンク機能をファクシミリ装置とコンピュータ装置とで相互に有効活用できるようにする技術が開示され、特開平１１−２２０５９７号公報には、同報宛先毎の送付状を共通原稿とまとめて蓄積して、同報送信機能を簡易にする技術が開示されている。
【０００３】
【発明が解決しようとする課題】
さて、従来の画像通信においては、共通の文書として用いられる画像（以下「共通文書画像」という）の画像データ（以下「共通画像データ」という）を通信装置に保存しておく機能（文書添付機能とも言われる）を利用して画像通信が行われることがある。例えば、画像送信の際に送信原稿に添付する送付状を通信装置に併設されているスキャナ等入力装置から読込んで共通文書として保存し、画像送信の際に、読込んだ文書（の画像データ）にその保存されている送付状（の共通画像データ）をマージして一つの文書として送信するという使い方がなされることがある。
しかし、通信装置のハードウェア資源は限られているから、このような共通文書を多数登録しておくことは、ハードウェア資源の有効活用の観点から好ましいものではない。
【０００４】
この発明は、上記の問題点を解決するためになされたものであり、ファクシミリ装置等の画像を送受信する通信装置において、共通画像データを装置外部のネットワーク上に保存しておき、送信する場合等の必要な時にその共通画像データを取り出して使用できるようにして、ハードウェア資源の有効活用を図ることを目的とする。
【０００５】
【課題を解決するための手段】
この発明は上記の目的を達成するため、原稿の画像を読取る画像読取手段と、該手段により読取った画像データに、共通に用いられる文書の共通画像データをマージするマージ手段と、ネットワークに接続する手段と、そのネットワークを介して画像データを送受信する送受信手段とを有する通信装置において、上記ネットワークを介して上記共通画像データを取得する共通画像データ取得手段を設け、送信しようとする画像データに、その手段により取得した上記共通画像データを上記マージ手段によりマージするように構成されていることを特徴とする。
上記共通画像データを保存する保存手段と、上記マージ手段にマージさせようとする上記共通画像データが上記保存手段に保存されているか否かを判断する手段と、その手段が、保存されていると判断したときは上記保存手段に保存されている上記共通画像データを、保存されていないと判断したときは上記共通画像データ取得手段により取得した上記共通画像データを、それぞれ上記マージ手段によりマージするように構成されているとよい。
【０００６】
また、上記いずれの通信装置においても、上記共通画像データ取得手段を作動させるための操作情報又は上記共通画像データの保存場所を指定するための操作情報を入力する操作入力手段を設けたものが好ましい。
さらに、画像読取手段により読取った共通画像データが上記保存手段に保存可能か否かを判断する手段と、その共通画像データを、その手段が保存可能と判断したときは上記保存手段に保存し、保存不可能と判断したときは上記ネットワークを介して上記送受信手段に送信させる手段を設けるとよい。
この通信装置は、操作入力手段が、上記共通画像データを送信した宛先を指定するための宛先情報を入力可能に構成されているとよい。
【０００７】
【発明の実施の形態】
以下、図面を参照して、この発明の実施の形態について説明する。
図１はこの発明による通信装置の一例であるファクシミリ装置２０の一実施の形態の主要な構成を示すブロック図である。
このファクシミリ装置２０は、図１に示すように、ＣＰＵ１と、ＲＯＭ２と、ＲＡＭ３と、タイマ制御部４と、オペポートＩ／Ｆ部５と、ハードディスクＩ／Ｆ部６とを有し、さらに、通信制御部７と、網制御部８と、符号化・復合化部９と、スキャナＩ／Ｆ部１０と、プロッタＩ／Ｆ部１１と、キャラクタジェネレータ１２と、ＬＡＮ通信制御部１３及びＳＲＡＭ１４とを有してなっている。
ＣＰＵ１は、ファクシミリ装置２０全体の動作を制御するユニットであって、ＲＯＭ２に記憶されているプログラムにしたがって処理を実行し、ＬＡＮ通信制御部１３をはじめとする各構成部を制御する。
【０００８】
ＲＯＭ２にはファクシミリ装置２０の基本プログラム及びこの発明の特徴とする機能を実現させるためのプログラムが格納されている。そのプログラムが膨大な場合は、ＲＯＭ２のほか図示しないハードディスクに格納してもよい。ＲＡＭ３には、ＣＰＵ１が処理の実行に用いる恒久的なデータやプログラムが記憶されている。
タイマ制御部４は、ファクシミリ装置２０の動作する時間を制御する。オペポートＩ／Ｆ部５は、図示しない操作表示部（オペポート）とのインターフェースである。その操作表示部は、所定のテンキー及び文字入力キーを備えたメカニカルキーやタッチパネルキーなどからなる操作キーと、その操作キーにより操作入力される情報や現在の動作状態及び時刻等を表示する液晶ディスプレイ（ＬＣＤ）等の表示装置とを有する操作入力手段であって、画像情報のファクシミリ送信に必要な操作（例えば、送信先であるファクシミリ番号の入力やスタート／ストップなど）や送受信の状況確認等、ファクシミリ装置２０の使用に必要な情報を操作キーの操作入力により入力してＣＰＵ１に入力する。なお、操作キーは、ファクシミリ番号を入力するテンキーのほか、ファクシミリ送信時の一連の操作にて使用するスタートキー、ストップキー、リダイヤルキー、ワンタッチキーと、短縮キーなどからなっている。ワンタッチキーや短縮キーは、共通画像データを取得するための操作情報、共通画像データの保存場所を指定するための操作情報を入力する操作入力手段として作動する。これらのキーについては後に詳しく説明する。
【０００９】
ハードディスクＩ／Ｆ部６は、主に画像データを記憶するハードディスクとのインターフェースである。そのハードディスクは、原稿の画像を読みとって得られる画像データのほか、複数の受信メッセージデータと送信メッセージデータをファイルとして蓄積し、共通画像データを記憶して保存する専用の領域（以下「保存領域」という）が設けられ、保存手段として作動する。
通信制御部７は、ＣＰＵ１の指示を受けて網制御部（ＮＣＵ：Ｎｅｔｗｏｒｋ　Ｃｏｎｔｒｏｌ　Ｕｎｉｔ）８を制御し、一般公衆網（ＰＳＴＮ）と接続して相手側通信端末とのファクシミリ送受信での、例えばＴ．３０プロトコルによるＧ３ファクシミリ通信を制御する。また、内蔵モデムにより相手側通信端末からの受信画像データ（変調されている）を復調し、送信画像データを変調する。さらに、網制御部８にて検出されたリンギング電圧のパルスの検出や、ＤＴＭＦ信号の検出とともにトーン信号を検出し、送信時の発呼を行う。網制御部８は、一般公衆網（ＰＳＴＮ）の接続及び回線の閉結を管理し、呼び出し信号（リンギング）を検出して、一般公衆網との電気的インターフェースをとる。
【００１０】
符号化・復合化部９は、入力する画像データを符号化・復合化するとともに圧縮し（ＭＨ，ＭＲ，ＭＭＲ，ＪＢＩＧなど）、その圧縮した画像データをハードディスクＩ／Ｆ部６を介してハードディスクに記憶する。また、入力される圧縮した画像データの伸張処理を行い生データとして、プロッタＩ／Ｆ部１１を介して図示しないプロッタ部に入力する。
スキャナＩ／Ｆ部１０は、図示しないスキャナとのインターフェースである。そのスキャナは、文字や図形等が記載された原稿の画像をイメージセンサで読み取って電気信号に変換し、画像データを出力する画像読取手段である。例えば、ＣＣＤ（Ｃｈａｒｇｅ　Ｃｏｕｐｌｅｄ　Ｄｅｖｉｃｅ）を利用したイメージスキャナである。スキャナは、読取ったイメージデータを２値化して生データとし、原稿読取時の縮小、拡大等の変倍処理や線密度変換等も行う。
【００１１】
プロッタＩ／Ｆ部１１は、図示しないプロッタとのインターフェースである。そのプロッタは、受信した画像データや受信結果を表す画像情報（例えば、送信元の電話番号、受信時刻などの情報）を入力して用紙に画像を形成し、印刷するための機構を備えたユニットからなる書込手段である。このプロッタは、たとえば、電子写真方式、インクジェット方式、トナージェット方式など、用紙に画像イメージを記録できるもので良い。
キャラクタジェネレータ１２は、文字のフォント情報を保持し、ＳＲＡＭ１４は、ファクシミリ装置２０の電源が切れた場合でも保持する必要があるファクシミリ送信の短縮番号、ワンタッチファクシミリ番号、電話帳情報等の情報が記憶されている。
ＬＡＮ通信制御部１３は、ＣＰＵ１の指示を受けて、ＬＡＮプロトコル（ＨＴＴＰ，ＦＴＰ，ＳＭＴＰ，ＰＯＰ３，ＩＭＡＰ４，ＴＣＰ，ＵＤＰ，ＩＰ）にしたがった制御を実行し、ネットワークから受信したデータのデコード又はネットワークへ送信するデータのエンコードを行ったり、送信フレームや受信フレームのバッファリングを行うＬＳＩ等からなり、共通画像データを取得する共通画像データ取得手段として作動する。
【００１２】
次に、以上のような構成を有するファクシミリ装置２０の機能について、図１のブロック図とともに、図２〜図６に示したフローチャートを参照して具体的に説明する。なお、図２〜図６に示したフローチャートにおいて、ステップをＳと略記している。
図１に示したファクシミリ装置２０は、図７に示すように、インターネット３０に接続し、インターネット３０、すなわち、ネットワークを介して画像データを送受信することが可能である。そのインターネット３０には、共通画像データを記憶して保存するサーバ４０が接続されている。
サーバ４０には、ファクシミリ装置２０により画像データを送受信する前に予め共通画像データが保存されている。サーバ４０に別の共通画像データを保存させる手順は以下の通りである。図２はインターネット３０上のサーバ４０にファクシミリ装置２０から共通画像データを保存させる手順を示すフローチャートである。
【００１３】
ファクシミリ装置２０は、ＣＰＵ１がＲＯＭ２に記憶されている所定のプログラムを読込み、図２〜図６に示すフローチャートに沿って、各構成要素を作動させて後述する各機能を実現する。
ファクシミリ装置２０は、共通文書の登録処理をスタートさせるとステップ１に進み、登録（保存）しようとする共通文書をセットするように促すメッセージをその操作表示部に表示させる。そのメッセージにしたがい操作者が共通文書をスキャナにセットするとステップ２に進み、ワンタッチキーや短縮キー等の共通文書専用の操作キー（以下「共通文書操作キー」という）の入力（指定）を促すメッセージを表示する。そのメッセージにしたがい操作者が共通文書操作キーを指定（入力）すると（ここでは、サーバ４０への保存を指定するための共通文書操作キーを指定する）、その指定により対応する操作情報がＣＰＵ１に入力されてステップ３に進み、格納ＵＲＬ（サーバ４０に割り当てられたＵＲＬ：ｕｎｉｆｏｒｍ　ｒｅｓｏｕｒｃｅ　ｌｏｃａｔｏｒ）の入力を促すメッセージを表示する。そのメッセージにしたがい操作者が格納ＵＲＬを入力するとステップ４に進み、ファクシミリ装置２０は、スキャナを作動させて、セットされている共通文書の画像（共通文書画像）の読込みを行い、続くステップ５で、指定（入力）されたＵＲＬにしたがいサーバ４０にアクセスして、その共通文書の画像データ（共通画像データ）をサーバ４０に送信して保存させる。この場合、サーバ４０は後述する対応テーブルも保存している。指定されたＵＲＬへのアクセス及び共通画像データの保存では、図１１に示すＦＴＰ又は図１０に示すＨＴＴＰにしたがって行われる。なお、ファクシミリ装置２０のしたがうプロトコルについては後述する。
【００１４】
以上のように、ファクシミリ装置２０は、共通画像データをインターネット３０を介してサーバ４０に送信して保存させることができる。すると、その共通画像データはファクシミリ装置２０だけでなく、インターネット３０に接続されるその他の通信装置でも利用可能となるため、トータルとしてハードウェア資源の使用量を抑えることができる。また、共通文書の一元管理も可能になる。専用の登録キーの入力操作により作動させることができるから、操作が簡易である。
ファクシミリ装置２０は、サーバ４０だけではなく、ハードディスクの保存領域に共通画像データを保存することもできる。そのための手順は、図３に示すとおりである。この処理がスタートすると、ファクシミリ装置２０は、ステップ１，２を上記同様にして（ステップ２では、保存領域への保存を指定するための共通文書操作キーを指定する）、実行後ステップ６に進み、スキャナを作動させて共通文書画像の読込みを行い、それにより得た共通画像データを保存領域に保存する。
【００１５】
保存領域に共通画像データを保存する手順は、図４に示すようにして行ってもよい。
この処理がスタートすると、ファクシミリ装置２０は、ステップ７に進み、登録キーの選択を促すメッセージを操作表示部に表示する。そのメッセージにしたがい操作者が共通文書操作キーの選択するとステップ８に進み、ファクシミリ装置２０は、スキャナを作動させて共通文書画像の読込みを行い、ステップ９に進む。ここで、ＣＰＵ１は、ハードディスク内の保存領域にアクセスして、保存領域に共通画像データを記憶する空き領域が有るか否か、すなわち共通画像データが保存領域に保存可能か否かを判断し、それがあれば（保存領域に保存可能であれば）ステップ１０に進んで、その共通画像データを保存領域に保存してその後処理を終了する。空き領域がないと判断した（保存不可能と判断した）場合は、ステップ１１に進み、ステップ５と同様にして指定されたＵＲＬにしたがいサーバ４０にアクセスして、その共通画像データをサーバ４０に保存させ、その後処理を終了する。
以上のように、ファクシミリ装置２０は、共通画像データを保存する際に保存領域に空き領域が有るか否かを判断して、空き領域があればそこに保存して無ければサーバ４０に保存させているから、ハードディスク内の使用量を一定の範囲に留めてその有効活用を図ることができ、実際の送信時のオーバヘッドを抑えることができる。
【００１６】
図６は、この発明の特徴とする画像データの送信処理の手順を示すフローチャートである。
この処理がスタートすると、ファクシミリ装置２０は、ステップ１２に進み、ファクシミリ送信すべき原稿（送信原稿）をスキャナにセットするように促すメッセージを操作表示部に表示する。そのメッセージにしたがい操作者が送信原稿をセットすると、ＣＰＵ１の指示にしたがいスキャナが作動して送信原稿の画像を読取り、画像データ（原稿画像データ）を出力する。続いて、ステップ１３に進み、ファクシミリ装置２０は、保存されている共通文書画像を操作者に選択させるための情報を操作表示部に表示する。この場合、例えば、ファクシミリ装置２０は、上述のステップ５，６，９，１１で共通画像データを保存する際に、各共通文書画像のタイトルとそれぞれを識別する番号とをテーブルに登録するなどして対応付けて記憶していて（「Ａ社宛送り状：０１、Ｂ社宛送り状：０２・・・など」、以下この対応付けて記憶する情報を「対応テーブル」という）、その対応テーブルに登録されている情報を適宜編集して操作表示部に表示する。この対応テーブルには、共通文書画像がファクシミリ装置２０に保存されているのか、又はサーバ４０に保存されているのかを区別する情報も記憶されていて、それも操作表示部に表示される。
【００１７】
操作者は、その表示を参照しながら所望の共通文書を選択する（共通画像データの保存場所を指定するための操作情報（例えば、サーバ４０のＵＲＬ）が共通文書操作キーに対応付けて設定されているので、共通文書操作キーの入力により、対応する操作情報がＣＰＵ１に入力される）。すると、その選択を受けて処理がステップ１４に進み、指定された共通文書の画像データ（共通画像データ）がファクシミリ装置２０に保存されているのか、サーバ４０に保存されているのかをＣＰＵ１が判断し、ファクシミリ装置２０に保存されていればステップ１５に進み、サーバ４０に保存されていればステップ１８に進む。ステップ１５に進むと、ＣＰＵ１がハードディスクＩ／Ｆ部６に指示して保存領域にアクセスさせ、選択された共通文書に対応する共通画像データを読出させる。そして、後続のステップ１６に進みＣＰＵ１がマージ手段として作動し、読出させた共通画像データをステップ１２で得た原稿画像データとマージして共通文書付き送信データを作成して、続くステップ１７でその共通文書付き送信データを送信し処理を終了する。
【００１８】
一方、ステップ１４からステップ１８に進むと、ＣＰＵ１が共通画像データ取得手段として作動して、共通文書操作キーの入力による操作情報から得たＵＲＬにしたがいサーバ４０にアクセスし、そこに保存されている共通画像データを取得する。そして、ステップ１９に進み、ＣＰＵ１がサーバ４０から取得した共通画像データを保存する必要があるか否かを操作者に決めさせるためのメッセージを操作表示部に表示する。操作者がその表示を参照して、いずれかを決めると、ＣＰＵ１がその入力内容から取得した共通文書画像の画像データを保存する必要があるか否かを判断し、必要があればステップ２０に進み、必要が無ければステップ１６に戻り、ＣＰＵ１がマージ手段として作動して、サーバ４０から取得した共通画像データをステップ１２で得た原稿画像データとマージして共通文書付き送信データを作成し、後続のステップでその共通文書付き送信データを送信して処理を終了する。
【００１９】
ステップ２０に進むと、ＣＰＵ１がハードディスク内の保存領域にアクセスして、サーバ４０から取得した共通画像データを記憶する空き領域が保存領域に有るか否かを判断し、それがあればステップ２１に進み、空き領域がないと判断した場合は、ステップ２２に進む。ステップ２１に進むと、サーバ４０から取得した共通画像データを保存領域に保存してステップ１６に戻り、その取得した共通画像データを原稿画像データとマージして共通文書付き送信データを作成し、後続のステップでその共通文書付き送信データを送信して処理を終了する。ステップ２２に進む場合は、空き領域がないので、取得した共通画像データのサイズやＬＲＵやＦＩＦＯアルゴリズム等により、その保存領域中のいずれかの共通画像データを削除してから、取得した共通画像データを保存する。その後、ステップ１６に戻り、取得した共通画像データを原稿画像データとマージして共通文書付き送信データを作成し、後続のステップでその共通文書付き送信データを送信して処理を終了する。
以上のように、ファクシミリ装置２０は、共通に用いられる文書の共通画像データをネットワークを介して取得し、その取得した共通画像データを送信原稿の画像データにマージして、画像データを送信することができるから、共通画像データを保存するために必要なハードウェア資源の使用量を減らし有効活用することができる。
【００２０】
なお、取得した共通画像データをファクシミリ装置２０内に保存するかどうかの判断は、その初期設定情報等に記録しておく。また、ファクシミリ送信自体は通信制御部７、網制御部８を作動させて行うＧ３規格にしたがったファクシミリ送信でもよいし、ＬＡＮ通信制御部１３を作動させて行うＨＴＴＰにしたがうインターネットファクシミリ送信でもよい。
さらに、ファクシミリ装置２０は、図５に示すフローチャートにしたがって作動するようにしてもよい。このフローチャートは、共通文書を読込んで得た共通画像データを共通文書操作キーに対応させて登録する手順を示している（この手順により登録されるデータを「共通文書登録データ」という）。処理スタート後、ファクシミリ装置２０は、上述のステップ８と同様にして共通文書画像の読込みを行い、続いて上述のステップ９，１０，１１と同様に処理を実行し、共通画像データを記憶する空き領域が保存領域に有れば保存領域に保存し、なければサーバ４０に保存させ、続くステップ２５でその共通画像データの保存場所を指定するための操作情報を共通文書操作キーに対応させて登録し、共通文書登録データをハードディスクに記憶する。その後処理を終了する。
【００２１】
ファクシミリ装置２０は、この共通文書登録データを記憶し、共通文書操作キーの入力により操作情報をＣＰＵ１に入力しているから、共通文書に関する特定の操作を操作入力手段の特定のキー操作で行え、ユーザーは共通文書が保管されている場所を意識することなく共通文書付き送信データを送信することができ、入力操作を簡便に行える。
図８は、作成される共通文書登録データ２６の一例を示す図である。共通文書登録データ２６は、種別２６ａとＵＲＬ２６ｂとが対応付けて示されている。その種別２６ａの「ワンタッチ０１」は、そのＵＲＬ２６ｂに具体的なＵＲＬが記憶されていて、外部（サーバ４０）に共通文書が保存されていることを示している。「ワンタッチ０１」に登録されている共通文書画像は、ＦＴＰ（ＲＥＴＲ）により取得する。種別２６ａの「短縮００５」も、そのＵＲＬ２６ｂに具体的なＵＲＬが記憶され、サーバ４０に共通文書画像が保存されていることを示している。これは、ＨＴＴＰ（ＧＥＴ）により取得する。種別２６ａの「ワンタッチ２２」は、「ＨＤ領域」と記憶され、そのＵＲＬ２６ｂに具体的なＵＲＬが記憶されてなく、保存領域に共通文書画像が保存されていることを示している。
【００２２】
また、図９〜図１２は、ファクシミリ装置２０が実行するプロトコルにしたがった通信手順を間略化して示した図である。
図９〜図１２はそれぞれＳＭＴＰ（Ｓｉｍｐｌｅ　Ｍａｉｌ　Ｔｒａｎｓｆｅｒ　Ｐｒｏｔｏｃｏｌ）、ＨＴＴＰ（Ｈｙｐｅｒｔｅｘｔ　Ｔｒａｎｓｆｅｒ　Ｐｒｏｔｏｃｏｌ）、ＦＴＰ（Ｆｉｌｅ　Ｔｒａｎｓｆｅｒ　Ｐｒｏｔｏｃｏｌ）、Ｔ．３０による通信手順を間略化して示している。
図９では、クライアント（上述の実施の形態では、ファクシミリ装置２０）からサーバ（サーバ４０）に電子メール送信により送信データを送信している。
図１０では、クライアント（上述の実施の形態では、ファクシミリ装置２０）からサーバ（サーバ４０）との間でデータ転送を行っている。
図１１では、クライアントからサーバとの間でファイルをやりとりしてデータ転送を行っている。
図１２では、ＳｅｎｄｅｒからＧａｔｅｗａｙにファクシミリ送信により画像通信を行っている。
なお、以上の実施の形態では、この発明による通信装置の一例としてファクシミリ装置を例にとって説明したが、画像を送受信する機能を有すればファクシミリ装置には限定されない。
【００２３】
【発明の効果】
以上説明してきたように、この発明による通信装置は、必要な時に必要な共通文書画像を装置外部から取り出して使用できるので、ハードウェア資源の有効活用を図ることことができる。
【図面の簡単な説明】
【図１】この発明による通信装置の一例であるファクシミリ装置の一実施の形態の主要な構成を示すブロック図である。
【図２】インターネット上のサーバにファクシミリ装置から共通画像データを保存させる手順を示すフローチャートである。
【図３】ハードディスクの保存領域に共通画像データを保存するための手順を示すフローチャートである。
【図４】ハードディスクの保存領域に空き領域があるか否かを判断して共通画像データを保存するための手順を示すフローチャートである。
【図５】共通文書を読込んで得た共通画像データを共通文書操作キーに対応させて登録する手順を示すフローチャートである。
【図６】この発明の特徴とする画像データの送信処理の手順を示すフローチャートである。
【図７】この発明によるファクシミリ装置とインターネットを介して接続されたサーバとを示すブロック図である。
【図８】作成される共通文書登録データの一例を示す図である。
【図９】ＳＭＴＰによる通信手順を間略化して示す図である。
【図１０】ＨＴＴＰによる通信手順を間略化して示す図である。
【図１１】ＦＴＰによる通信手順を間略化して示す図である。
【図１２】Ｔ．３０による通信手順を間略化して示す図である。
【符号の説明】
１：ＣＰＵ　　　　　　　　　　　　　　２：ＲＯＭ
３：ＲＡＭ　　　　　　　　　　　４：タイマ制御部
５：オペポートＩ／Ｆ部　　　　　　７：通信制御部
６：ハードディスクＩ／Ｆ部　　　　　８：網制御部
９：符号化・復合化部　　１０：スキャナＩ／Ｆ部
１１：プロッタＩ／Ｆ部　　１３：ＬＡＮ通信制御部
１２：キャラクタジェネレータ　　　１４：ＳＲＡＭ
２０：ファクシミリ装置　　　３０：インターネット
４０：サーバ
【図１】
2004064336.tif 000003
【図２】
2004064336.tif 000004
【図３】
2004064336.tif 000005
【図４】
2004064336.tif 000006
【図５】
2004064336.tif 000007
【図６】
2004064336.tif 000008
【図７】
2004064336.tif 000009
【図８】
2004064336.tif 000010
【図９】
2004064336.tif 000011
【図１０】
2004064336.tif 000012
【図１１】
2004064336.tif 000013
【図１２】
2004064336.tif 000014